(57)【要約】【課題】  イメージセンサ部に発生する振動を良好に抑制する。【解決手段】  原稿１０を読み取るイメージセンサユニット３と、このイメージセンサユニット３が固定されて設けられイメージセンサユニット３を支持する支持フレーム１９と、この支持フレーム１９を支持するシャーシ８とを備える。そして、一端が支持フレーム１９に当接され、他端がシャーシ８に当接されて設けられ、シャーシ８に対して支持フレーム１９を離間させる方向に付勢することで、イメージセンサユニット３に生じる振動を抑制する板バネ１７を備える。【選択図】  図４
2006319605.tif 000002
【特許請求の範囲】
【請求項１】
原稿を読み取るイメージセンサ部と、
前記イメージセンサ部が固定されて設けられ、前記イメージセンサ部を支持する支持フレームと、
前記支持フレームを支持するシャーシと、
一端が前記支持フレームに当接され、他端が前記シャーシに当接されて設けられ、前記支持フレームを前記シャーシから離間させる方向に付勢することで、前記イメージセンサ部に生じる振動を抑制する振動抑制手段とを備えることを特徴とする原稿読み取り装置。
【請求項２】
前記振動抑制手段は、一端が前記支持フレームに固定され、他端が前記シャーシに当接されて設けられたバネ部材を有している請求項１に記載の原稿読み取り装置。
【請求項３】
前記バネ部材は板バネである請求項２に記載の原稿読み取り装置。
【請求項４】
前記支持フレームは、長尺状に形成され、長手方向の両端が前記シャーシにネジ止め固定されて支持され、
前記振動抑制手段は、前記支持フレームの長手方向の中央部に配置されている請求項１に記載の原稿読み取り装置。
【請求項５】
原稿に照明光を出射する光源部が、前記イメージセンサ部と別体に配置されている請求項１ないし４のいずれか１項に記載の原稿読み取り装置。
【請求項６】
前記イメージセンサ部は、原稿からの反射光を導光するレンズ系と、該レンズ系で導光された光を受光するＣＣＤとを有している請求項１ないし４のいずれか１項に記載の原稿読み取り装置。
【発明の詳細な説明】
【技術分野】
【０００１】
本発明は、原稿を読み取るイメージセンサ部が固定されて配置された原稿読み取り装置に関する。
【背景技術】
【０００２】
例えば複写機やスキャナ装置等の原稿読み取り装置には、原稿を画像として読み取るためのイメージセンサユニットが、装置内に固定されて設けられた構成のものがある。
【０００３】
この種の画像読み取り装置としては、原稿を読み取るためのイメージセンサユニットと、原稿に照明光を照射するための光源ユニットと、原稿１０からの反射光をイメージセンサユニットに導くためのミラーユニットとを備える構成が開示されている（例えば特許文献１参照。）。
【０００４】
図５および図６に示すように、従来の原稿読み取り装置が備えるイメージセンサユニット１０３は、装置内に固定されて配置されており、原稿からの反射光を集光するレンズ１２４と、このレンズ１２４によって集光された反射光を受光して画像として読み取るためのＣＣＤ（Charge-Coupled Device）１２３と、これらレンズ１２４およびＣＣＤ１２３を支持する支持フレーム１１９とを有している。
【０００５】
支持フレーム１１９は、金属板材によって長尺状に形成され、長手方向の両端が、シャーシ１０８上に固定されて設けられた支持壁部材１１４、またはこのシャーシ１０８に一体に形成された支持壁に、固定ネジ１１８でそれぞれネジ止め固定されている。
【０００６】
また、図示しないが、この従来の原稿読み取り装置は、原稿に対して移動される可動式の光源ユニットおよびミラーユニットを備えている。これら光源ユニットおよびミラーユニットは、移動機構のワイヤに連結されており、このワイヤを駆動ドラムの外周部に巻回させることによって、光源ユニットおよびミラーユニットが牽引され、原稿と平行に移動される。
【０００７】
そして、従来の原稿読み取り装置は、イメージセンサユニット１０３によって、光源ユニットとミラーユニットとで反射された反射光を、レンズ１２４を通しＣＣＤ１２３で画像として読み取るように構成されている。
【０００８】
ところで、従来の原稿読み取り装置は、図示しないが、操作パネルの操作時や、原稿が載置されるガラス板上に原稿を給送するＡＤＦ（Auto Document Feeder）の原稿送り込み動作や、移動機構のモータの動作等で発生する振動、衝撃等によって、イメージセンサユニット１０３が振動してしまう。
【０００９】
このため、イメージセンサユニット１０３に搭載されたＣＣＤ１２３が振動することによって、このＣＣＤ１２３で読み取られた画像には、図７に示すように、原稿１１０に描かれた直線１２１に、読取画像１２０のような歪みが生じてしまう問題がある。
【００１０】
そこで、イメージセンサユニット１０３に生じる振動を抑制するために、従来の原稿読み取り装置では、以下のような対策がそれぞれ行われている。
１）  図５に示すように、イメージセンサユニット１０３を支持する支持フレーム１１９には、シャーシ１０８の底面に固定する固定片１１９ａが延長して形成され、この固定片１１９ａと、シャーシ１０８とを広範囲に亘って固定ネジ１１８でネジ止めして固定することで、支持フレーム１１９の剛性を高めて、イメージセンサユニット１０３に生じる振動を減衰させる。
２）  支持フレーム１１９を構成する金属板材の厚みを増やし、支持フレーム１１９の剛性を高めて、イメージセンサユニット１０３に生じる振動を減衰させる。
３）  支持フレーム１１９上に板状の重り１２５を固定ネジ１１８でネジ止めして配置することで、支持フレーム１１９の重量を増やすことで、イメージセンサユニット１０３に生じる振動を減衰させる。
【特許文献１】特開平７−３８７０９号公報
【発明の開示】
【発明が解決しようとする課題】
【００１１】
しかしながら、上述した対策を採った従来の原稿読み取り装置には、以下の問題があった。
１）  支持フレーム１１９と底板１０８とを固定ネジ１１８でネジ止めした場合には、シャーシ１０８に生じるたわみなどの影響を受け、振動の伝達経路が変化して、ＣＣＤ１２３に伝わる振動が変化する。すなわち、振動の抑制作用には、製造ロットのバラツキによる影響が発生する不都合がある。
２）  支持フレーム１１９を構成する金属板材の厚みを増やした場合には、装置全体の重量の増加を招き、また部品コストが嵩んでしまう不都合がある。
３）  支持フレーム１１９に重り１２５を取り付けることで、部品点数が増え、組立作業の負担が増え、組立時間が長くかかり（工数増）、製造コストが嵩んでしまう不都合がある。
【００１２】
また、図８（ａ）に示すように、ＥＭＩ（Electro Magnetic Interference）対策としては、支持フレーム１１９とシャーシ１０８との間に、導電部材１２６を配置する構成がある。しかしながら、この導電部材１２６は、イメージセンサユニット１０３の振動抑制を目的とするものではなく、ＥＭＩ対策としての導通性の向上を目的とするものである。そして、この導電部材１２６は、図８（ｂ）に示すように、シャーシ１０８に当接される一端部に、短冊状をなす複数の当接片１２６ａが形成されており、形状が複雑であり、加工コストが嵩む。
【００１３】
そこで、本発明は、イメージセンサ部に発生する振動を良好に抑制することができる原稿読み取り装置を提供することを目的とする。
【課題を解決するための手段】
【００１４】
上述した目的を達成するため、本発明に係る原稿読み取り装置は、原稿を読み取るイメージセンサ部と、このイメージセンサ部が固定されて設けられイメージセンサ部を支持する支持フレームと、この支持フレームを支持するシャーシとを備える。そして、この原稿読み取り装置は、一端が支持フレームに当接され、他端がシャーシに当接されて設けられ、支持フレームをシャーシから離間させる方向に付勢することで、イメージセンサ部に生じる振動を抑制する振動抑制手段を備える。
【００１５】
以上のように構成した本発明に係る原稿読み取り装置によれば、イメージセンサ部が支持された支持フレームに振動が生じた際に、振動抑制性手段によって支持フレームに生じる振動が良好に吸収されて減衰され、イメージセンサ部に振動が生じることが抑制される。
【発明の効果】
【００１６】
上述したように本発明に係る原稿読み取り装置によれば、イメージセンサ部に発生する振動を良好に抑制することができる。
【発明を実施するための最良の形態】
【００１７】
以下、本発明の具体的な実施形態について、図面を参照して説明する。
【００１８】
本実施形態の原稿読み取り装置は、例えば複写機やスキャナ装置等に適用される。
【００１９】
図１および図２に示すように、原稿読み取り装置は、ガラス板９上に載置された原稿１０を読み取るためのイメージセンサユニット３と、原稿１０に照明光を照射するための光源ユニット４と、原稿１０からの反射光をイメージセンサユニット３に導くためのミラーユニット５と、光源ユニット４およびミラーユニット５を原稿に対して移動させる移動機構６と、これら各ユニット３，４，５を支持するシャーシ８とを備えている。
【００２０】
イメージセンサユニット３は、図３および図４（ａ），（ｂ）に示すように、装置内に固定されて配置されており、原稿１０からの反射光を集光するレンズ２４と、このレンズ２４によって集光された反射光を受光して画像として読み取るためのＣＣＤ（Charge-Coupled Device）２３と、これらレンズ２４およびＣＣＤ２３を支持する支持フレーム１９とを有している。
【００２１】
支持フレーム１９は、長尺状の金属板材によって断面略コ字状に形成され、長手方向の両端が、シャーシ８上に固定されて設けられた支持壁部材２０、またはこのシャーシ８に一体に形成された支持壁に、固定ネジ１８でそれぞれネジ止め固定されている。この支持フレーム１９の長手方向の略中央部には、ＣＣＤ２３が設けられ、このＣＣＤ２３にレンズ２４が固定されて設けられている。
【００２２】
そして、このイメージセンサユニット３には、支持フレーム１９に生じる振動を抑制する振動抑制手段としての板バネ１７が、ＣＣＤ２３近傍に位置して、支持フレーム１９の長手方向の一側に設けられている。板バネ１７は、一端が支持フレーム１９の一側に固定ネジ１８でネジ止め固定され、他端がシャーシ８に当接されており、弾性力によって支持フレーム１９をシャーシ８から離間させる方向に付勢している。
【００２３】
なお、上述したイメージセンサユニット３は、板バネ１７によって振動を抑制する構成が採られたが、図示しないが、例えば、圧縮コイルバネやねじりコイルバネが、支持フレーム１９とシャーシ８との対向間隙に、一端が支持フレーム１９に固定され、他端がシャーシ８に当接されて配置される構成が採られても同様の効果が得られる。また、板バネ１７は、必要に応じて、支持フレーム１９の長手方向の複数箇所にそれぞれ設けられてもよい。
【００２４】
図１および図２に示すように、光源ユニット４は、装置内に移動可能に構成されており、ガラス板９に載置された原稿１０に照明光を出射するランプ１１と、原稿１０からの反射光をミラーユニット５に反射させる反射ミラー１２とを有している。
【００２５】
ミラーユニット５は、光源ユニット４と共に移動可能に構成されており、光源ユニット４の反射ミラー１２からの反射光を、イメージセンサユニット３に反射する反射ミラー１３ａ，１３ｂを有している。
【００２６】
移動機構６は、モータ３０と、このモータ３０によってタイミングベルト３１介して回転駆動されるベルトプーリ３２と、このベルトプーリ３２が固定された駆動軸３３と、この駆動軸３３と共に回転される駆動ドラム３４と、この駆動ドラム３４とプーリ３５とに掛け渡されたワイヤ３６と、原稿１０が載置されるガラス板９の主面に対して光源ユニット４およびミラーユニット５をそれぞれ平行移動可能に支持するガイドレール３７ａ，３７ｂとを有している。
【００２７】
光源ユニット４およびミラーユニット５は、ワイヤ３６に一体に連結されており、このワイヤ３６が駆動ドラム３４の外周部に巻回されることによって、光源ユニット４およびミラーユニット５が牽引されて、原稿１０の読み取り面と平行に移動される。
【００２８】
以上のように構成された原稿読み取り装置が備えるイメージセンサユニット３は、例えば、ユーザーによる操作パネル（不図示）の操作時や、移動機構６のモータ３０による振動や、外部からの衝撃等で支持フレーム１９に振動が伝わった場合に、支持フレーム１９とシャーシ８との対向間隙で板バネ１７が弾性変形することで、支持フレーム１９の振動が良好に吸収されて減衰される。このため、支持フレーム１９に支持されたイメージセンサユニット３に振動が生じることが良好に抑制される。
【００２９】
また、板バネ１７は、一端が支持フレーム１９に固定され、他端がシャーシ８に当接されて設けられ、シャーシ８に対して支持フレーム１９を離間させる方向に付勢することで、例えば製造ロットによってシャーシ８に生じるたわみ等で振動の伝達経路が変化してしまうような場合であっても、振動の抑制作用にバラツキが生じることが抑えられる。
【００３０】
上述したように、原稿読み取り装置によれば、一端が支持フレーム１９に固定され、他端がシャーシ８に当接されて設けられ、シャーシ８に対して支持フレーム１９を離間させる方向に付勢する板バネ１７が、イメージセンサユニット３に設けられたことによって、イメージセンサユニット３に発生する振動を良好に抑制し、この抑制作用にバラツキが生じることを抑えることができる。
【００３１】
また、この原稿読み取り装置によれば、比較的簡素な構成の板バネ１７を、支持フレーム１９に固定ネジ１８でネジ止め固定することによって、イメージセンサユニット３に生じる振動が良好に抑制されるので、イメージセンサユニットの振動を抑制するために要する製造コストを低減することができる。
【００３２】
なお、本実施形態の原稿読み取り装置では、原稿１０に対して移動される光源ユニット４およびミラーユニット５を備える構成が採られたが、イメージセンサユニット３が固定されて配置される構成であれば、ガラス板９上に原稿１０を給送する自動給送ユニット（不図示）を備える構成にされてもよいことは勿論である。
【００３３】
また、本実施形態の原稿読み取り装置では、支持フレーム１９に固定された板バネ１７が、シャーシ８がなす底板に対して当接される構成が採られたが、シャーシ８の一部がガラス板９側の天板を構成し、この天板に対して、支持フレーム１９に固定された板バネが当接される構成が採られてもよい。
【図面の簡単な説明】
【００３４】
【図１】本実施形態の原稿読み取り装置を示す平面図である。
【図２】前記原稿読み取り装置を示す側面図である。
【図３】イメージセンサユニットを示す斜視図である。
【図４】イメージセンサユニットの板バネを説明するための図である。
【図５】従来のイメージセンサユニットを示す斜視図である。
【図６】従来のイメージセンサユニットを示す側面図である。
【図７】読み取り画像に生じる歪みを説明するための図である。
【図８】従来の他のイメージセンサユニットを示す斜視図である。
【符号の説明】
【００３５】
３  イメージセンサユニット
４  光源ユニット
８  シャーシ
１７  板バネ
１８  固定ネジ
１９  支持フレーム
【図１】
2006319605.tif 000003
【図２】
2006319605.tif 000004
【図３】
2006319605.tif 000005
【図４】
2006319605.tif 000006
【図５】
2006319605.tif 000007
【図６】
2006319605.tif 000008
【図７】
2006319605.tif 000009
【図８】
2006319605.tif 000010